(57)【要約】【課題】床上から床板の高さを調整することができる床板支持具を提供する。【解決手段】建屋の基礎Ｃと床板２との間に立設状態に配設される床板支持具１Ａであって、基礎Ｃに立設される座板３ａ付きの束本体３と、下部が束本体３の上部に螺合する操作体４と、操作体４の上端部に螺合して床板２を支持する床支持板５と、備え、操作体４の下部に形成される螺子４１と操作体４の上部に形成される螺子４２が互いに逆向きとなるように穿設形成され、操作体４を一方向に回動させると床支持板５が上昇し、操作体４を他方向に回動させると床支持板５が降下する。【選択図】  図１
2005133454.tif 000002
【特許請求の範囲】
【請求項１】
設置面に着座して上下方向に配設される座板付きの束本体と、
下部が前記束本体の上部に螺合する操作体と、
前記操作体の上部に螺合して床板を支持する床支持板と、を備え、
前記操作体の下部と上部には、それぞれ互いに逆向きの螺子が形成され、かつ、前記操作体の上部には、前記床支持板の上方から操作工具で操作可能な操作部が設けられ、該操作部を一方向に回動させると前記床板支持体が上昇し、前記操作体を他方向に回動させると前記床支持板が降下することを特徴とする床板支持具。
【請求項２】
前記操作体の上部に形成された螺子と下部に形成された螺子との間には、操作工具を係止させるための係止部を設けたことを特徴とする請求項１に記載の床板支持具。
【請求項３】
前記係止部は、多角形の断面形状に形成されることを特徴とする請求項２に記載の床板支持具。
【請求項４】
設置面に着座して上下方向に配設される座板付きの螺子体と、
下部が前記螺子体に螺合する束本体と、
前記束本体の上端部に回動自在かつ上下方向に変位不能に支持されて床板を支持する床支持板と、を備え、
前記束本体の上部には、前記床支持板の上方から操作工具で操作可能な操作部が設けられ、該操作部を一方向に回動させると前記床支持板が上昇し、前記操作部を他方向に回動させると前記床支持板が降下することを特徴とする床板支持具。
【請求項５】
前記操作部は、前記束本体の内部に形成され、前記束本体の上部開口から挿入される前記操作工具を相対回動不能に係止させることを特徴とする請求項４に記載の床板支持具。
【請求項６】
設置面に着座して上下方向に配設される螺子体と、
下部が前記螺子体に螺合する束本体と、
前記束本体の上端部に回動自在かつ上下方向に変位不能に支持されて床板を支持する床支持板と、
下部が前記束本体の上部に少なくとも相対回動不能に一体化され、かつ、前記床支持板よりも上方に突出した上部を上方から操作工具で操作可能な操作部材と、を備え、
前記操作部材を一方向に回動させると前記床支持板が上昇し、前記操作部材を他方向に回動させると前記床支持板が降下することを特徴とする床板支持具。
【請求項７】
前記操作部材は、前記上部が多角形ヘッド部であるボルトからなり、該ボルトの螺子部が、前記束本体の内部にカシメ固定されることを特徴とする請求項６に記載の床板支持具。
【発明の詳細な説明】
【技術分野】
【０００１】
本発明は、建屋の床板を支持するための床板支持具に係り、詳しくは、床板上から高さの調整が可能な床板支持具に関する。
【背景技術】
【０００２】
従来、建屋の床下に配設される横梁（大引き）の中間部は、コンクリート基礎に立設した鋼製束によって支持されていた。その鋼製束は、例えば、図１１に示すように、コンクリート基礎Ｃに設置されるベース板５１と、このベース板５１に立設される下部スクリューロッド５２と、その上部に同心状に螺合される筒状のターンバックル５３と、その上部に螺合される上部スクリューロッド５４と、その上部に取り付けられて大引き５６を支持する頂部板５５と、を備えている（例えば、特許文献１参照）。
【０００３】
上述の下部スクリューロッド５２と、上部スクリューロッド５４とは、互いに逆向きに螺子が穿設されているため、ターンバックル５３を回動させることによって、両スクリューロッド５２，５４が拡縮動作し、これによって、大引き５６の高さ位置を調整することができる。即ち、ターンバックル５３は、通常、床下で操作され、順方向に回動させると、クリューロッド５２，５４が互いに離間するように拡長して大引き５６を持ち上げ、逆方向に回動させると、両スクリューロッド５２，５４が互いに接近するように縮長して大引き５６の高さを低くすることができる。
【特許文献１】特開２００３−２０７８０号公報
【発明の開示】
【発明が解決しようとする課題】
【０００４】
ところで、最近では、建築構造の簡素化や低コスト化等の要請から、大引きを用いることなく、床板を鋼製束（床板支持具）で直接支持するような床構造が待望されるようになった。また、建物によっては、床上から床板の高さを調整できることが望まれる。
【０００５】
しかし、従来の鋼製束は、もっぱら床下で操作できるように、ターンバックルが鋼製束の略中間高さ位置に設けられているため、そのターンバックルを床上から操作することはできず、その対策が求められていた。
【０００６】
本発明は、このような実情に鑑みてなされ、床上から床板の高さを調整することができる床板支持具を提供することを目的とする。
【課題を解決するための手段】
【０００７】
本発明に係る床板支持具は、設置面に着座して上下方向に配設される座板付きの束本体と、下部が前記束本体の上部に螺合する操作体と、前記操作体の上端部に螺合して床板を支持する床支持板と、を備え、
前記操作体の下部と上部には、それぞれ互いに逆向きの螺子が形成され、かつ、前記操作体の上部には、前記床支持板の上方から操作工具で操作可能な操作部が設けられ、該操作部を一方向に回動させると前記床板支持体が上昇し、前記操作体を他方向に回動させると前記床支持板が降下することを特徴とする。
【０００８】
このような構成により、束本体の上部に螺合している操作体の操作部を、床支持板の上方（床上）から操作することにより床支持板を上下に変位させて、床板の高さを調整することができる。従って、作業性のよくない床下作業をなくすことができ、かつ、設置面（基礎）と床板との間のスペースを必要最小限度の高さに設定して、建屋の高さを抑えることができる。
【０００９】
このような床板支持具では、操作体の上部に形成された螺子と下部に形成された螺子との間に、操作工具を係止させるための係止部を設けるのが好ましい。
【００１０】
また、その係止部は、多角形の断面形状に形成されるのが好ましい。
【００１１】
本発明の別の床板支持具は、設置面に着座して上下方向に配設される座板付きの螺子体と、下部が前記螺子体に螺合する束本体と、前記束本体の上端部に回動自在かつ上下方向に変位不能に支持されて床板を支持する床支持板と、を備え、
前記束本体の上部には、前記床支持板の上方から操作工具で操作可能な操作部が設けられ、該操作部を一方向に回動させると前記床支持板が上昇し、前記操作部を他方向に回動させると前記床支持板が降下することを特徴とする。
【００１２】
このような構成により、束本体の上部に形成された操作部を、床支持板の上方（床上）から操作することにより床支持板を上下に変位させて、床板の高さを調整することができる。従って、作業性のよくない床下作業をなくすことができ、かつ、設置面（基礎）と床板との間のスペースを必要最小限度の高さに設定して、建屋の高さを抑えることができる。
【００１３】
このような床板支持具では、その操作部は、前記束本体の内部に形成され、前記束本体の上部開口から挿入される前記操作工具を相対回動不能に係止させるように構成するのが好ましい。
【００１４】
本発明の異なる床板支持具は、設置面に着座して上下方向に配設される螺子体と、下部が前記螺子体に螺合する束本体と、前記束本体の上端部に回動自在かつ上下方向に変位不能に支持されて床板を支持する床支持板と、下部が前記束本体の上部に少なくとも相対回動不能に一体化され、かつ、前記床支持板よりも上方に突出した上部を上方から操作工具で操作可能な操作部材と、を備え、前記操作部材を一方向に回動させると前記床支持板が上昇し、前記操作部材を他方向に回動させると前記床支持板が降下することを特徴とする。
【００１５】
このような構成により、束本体の上部に一体化された操作部材を、床支持板の上方（床上）から操作することにより床支持板を上下に変位させて、床板の高さを調整することができる。従って、作業性のよくない床下作業をなくすことができ、かつ、設置面（基礎）と床板との間のスペースを必要最小限度の高さに設定して、建屋の高さを抑えることができる。
【００１６】
このような床板支持具では、前記操作部材は、前記上部が多角形ヘッド部であるボルトからなり、該ボルトの螺子部が、前記束本体の内部にカシメ固定されるのが好ましい。
【発明の効果】
【００１７】
本発明に係る床板支持具は、束本体の上部に螺合している操作体の操作部を、床支持板の上方から操作することにより床支持板を上下に変位させることができるので、床上から床板の高さを調整することができる。従って、作業性のよくない床下作業をなくすことができ、かつ、設置面（基礎）と床板との間のスペースを必要最小限度の高さに設定して、建屋の高さを抑えることができる。
【００１８】
本発明に係る別の床板支持具は、束本体の上部に形成された操作部を、床支持板の上方から操作することにより床支持板を上下に変位させることができるので、床上から床板の高さを調整することができる。従って、作業性のよくない床下作業をなくすことができ、かつ、設置面（基礎）と床板との間のスペースを必要最小限度の高さに設定して、建屋の高さを抑えることができる。
【００１９】
本発明の異なる床板支持具は、束本体の上部に一体化された操作部材を、床支持板の上方から操作することにより床支持板を上下に変位させることができるので、床上から床板の高さを調整することができる。従って、作業性のよくない床下作業をなくすことができ、かつ、設置面（基礎）と床板との間のスペースを必要最小限度の高さに設定して、建屋の高さを抑えることができる。
【発明を実施するための最良の形態】
【００２０】
以下に、本発明の最良の実施の形態に係るパイプハンガーについて図面を参照しつつ詳細に説明する。
【００２１】
〔実施の形態１〕
図１（ａ）は床板支持具１Ａの正面図、図１（ｂ）は平面図、図１（ｃ）は底面図、図１（ｄ）は縦断面図、図２（ａ）〜（ｃ）は操作体の構成説明図、図３は設置状態の説明図である。これらの図に示すように、この床板支持具１Ａは、建屋の基礎（設置面）Ｃと床板２との間に立設状態に配設され、基礎Ｃに立設される座板３ａ付きの束本体（例えば、パイプ材からなる）３と、下部が束本体３の上部に螺合する操作体４と、操作体４の上端部に螺合して床板２を支持する床支持板５と、備えている。なお、床板２は、表面のパネル本体２１と下地板２２からなり、床支持板５は下地板２２を受載支持する。
【００２２】
上述の操作体４の下部と上部には、互いに逆向きとなる螺子４１，４２が形成され、両螺子４１，４２間には、図２に示すように、操作工具（例えば、レンチ，スパナ等、図示省略）を係止させるための係止部４３が設けられ、操作体４の上端には、差し込みレンチ用の六角穴（操作部）４４が形成されている。一方、束本体３の上部には、操作体４の下部に形成される螺子４１を螺合させるための内螺子３１が形成されており、また、床支持板５には、操作体４の下部に形成される螺子４２を螺合させるためのナット５２が溶接されている。
【００２３】
以上のように構成される床板支持具１Ａでは、束本体３の上部に螺合している操作体４の六角穴４４（又は係止部４３）を床上から操作工具によって操作することが可能であり、操作体４を一方向（順方向）に回動させると床支持板５が上昇し、操作体４を他方向（逆方向）に回動させると、床支持板５が降下する。従って、作業性のよくない床下作業をなくすことができ、かつ、設置面Ｃと床板２との間のスペースを必要最小限度の高さに設定して、建屋の高さを低く抑え設計が可能となる。
【００２４】
床上から操作工具を介して操作体４を操作するためには、例えば、操作体４の上部に形成された螺子４２の一部を貫通させる孔部を、予め、下地板２２に形成しておき、その下地板２２を床支持板５に載せた状態で、下地板２２の孔部に現れた六角穴４４にレンチを差し込んで床上から操作し、高さ調整が終了した時点で、パネル本体２１を下地板２２の上に敷設すればよい。また、床板２と床板２の接合部（例えば、四隅を突き合わせた接合部、二枚合わせの接合部等）を床板支持具１Ａで支持させる場合には、床上から操作工具により係止部４３を操作することもできる。
【００２５】
〔実施の形態２〕
図４（ａ）は床板支持具１Ｂの正面図、図４（ｂ）は平面図、図４（ｃ）は縦断面図、図５（ａ）〜（ｃ）は束本体の構成説明図、図６（ａ）〜（ｃ）は操作工具の構成説明図、図７は設置状態の説明図である。これらの図に示すように、この床板支持具１Ｂは、建屋の基礎（設置面）Ｃと床板２との間に立設状態に配設され、基礎Ｃに立設される座板６ａ付きの螺子体６と、下部が螺子体６に螺合する束本体（例えば、パイプ材からなる）３と、束本体３の上端部に回動自在かつ上下方向に変位不能に支持されて床板２を支持する床支持板５と、備え、束本体３の上部には操作部３２が形成され、該操作部３２を一方向に回動させると床支持板５が上昇し、操作部３２を他方向に回動させると床支持板５が降下する。なお、前実施の形態１，２と同一もしくは同等部材については同一符号を付し、その説明を省略する。
【００２６】
上述の束本体３の下部は絞り加工により若干径小に形成し、例えば、図５に示すように、その内部に、螺子体６に形成された螺子６１に螺合する内螺子３１が穿設形成され、その上部に形成される操作部３２は、パイプ材を外側からカシメることにより、正方形状の断面に形成され、例えば、図６に示すような四角レンチ（操作工具）７を束本体３の上部開口から挿入することによって束本体３を回動させることができるように構成される。なお、７１は操作用ハンドル、７２は四角ヘッド部（嵌入部）を示す。そして、その上端部には鍔状部３３が形成され、その鍔状部３３に床支持板５を受載支持させて、その上端縁を外方に拡げるようにカシメることで、その床支持板５を束本体３に対して回動自在かつ上下方向に変位不能に支持させている。
【００２７】
以上のように構成される床板支持具１Ｂでは、束本体３の上部に形成された操作部３２を、床上から操作工具７によって操作することが可能であり、操作部３２を一方向（順方向）に回動させると床支持板５が上昇し、操作部３２を他方向（逆方向）に回動させると、床支持板５が降下する。従って、作業性のよくない床下作業をなくすことができ、かつ、基礎Ｃと床板２との間のスペースを必要最小限度の高さに設定して、建屋の高さを低く抑えた設計が可能となる。例えば、床板２と床板２の接合部（例えば、四隅を突き合わせた接合部等）を床板支持具１Ｂで支持させる場合には、操作工具７を差し込む孔部を接合部に予め形成しておき、高さ調整が終了した時点でその孔部を埋めるようにすればよい。
【００２８】
〔実施の形態３〕
図８（ａ）は床板支持具１Ｃの正面図、（ｂ）は平面図、（ｃ）は縦断面図、図９（ａ）〜（ｃ）は束本体の構成説明図、図１０は設置状態の説明図である。これらの図に示すように、この床板支持具１Ｃは、建屋の基礎（設置面）Ｃと床板２との間に立設状態に配設され、基礎Ｃに立設される座板６ａ付きの螺子体６と、下部が螺子体６に螺合する束本体（例えば、パイプ材からなる）３と、束本体３の上端部に回動自在かつ上下方向に変位不能に支持されて床板２を支持する床支持板５と、下部が束本体３の上部に少なくとも相対回動不能に一体化され、かつ、床支持板５よりも上方に突出した上部８１を床支持板５の上方から操作工具で操作可能な操作部材８と、を備え、操作部材８を一方向に回動させると床支持板５が上昇し、操作部材８を他方向に回動させると床支持板５が降下する。なお、前実施の形態１，２と同一もしくは同等部材については同一符号を付し、その説明を省略する。
【００２９】
以上のように構成される床板支持具１Ｃでは、束本体３の上部に一体化された操作部材８を、床上から操作工具（例えば、スパナやレンチ等、図示省略）によって操作することが可能であり、操作部材８を一方向（順方向）に回動させると床支持板５が上昇し、操作部材８を他方向（逆方向）に回動させると、床支持板５が降下する。従って、作業性のよくない床下作業をなくすことができ、かつ、基礎Ｃと床板２との間のスペースを必要最小限度の高さに設定して、建屋の高さを低く抑えた設計が可能となる。例えば、床板２と床板２の接合部（例えば、四隅を突き合わせた接合部等）を床板支持具１Ｂで支持させる場合には、操作工具を差し込む孔部を下地板２２の接合部に予め形成しておき、高さ調整が終了した時点で、パネル本体２１を下地板２２の上に敷設して、孔部を埋めるようにすればよい。
【図面の簡単な説明】
【００３０】
【図１】本発明の実施の形態１に係る床板支持具の構成説明図で、（ａ）は正面図、（ｂ）は平面図、（ｃ）は底面図、（ｄ）は断面図である。
【図２】同操作体の構成説明図で、（ａ）は正面図、（ｂ）は平面図、（ｃ）は（ａ）のＡ−Ａ線矢視断面図である。
【図３】同床板支持具の設置状態の説明図である。
【図４】本発明の実施の形態２に係る床板支持具の構成説明図で、（ａ）は正面図、（ｂ）は平面図、（ｃ）は断面図である。
【図５】同束本体の構成説明図で、（ａ）は断面図、（ｂ）は正面図、（ｃ）は平面図である。
【図６】同操作工具の説明図で、（ａ）は正面図、（ｂ）は側面図、（ｃ）は底面図である。
【図７】同床板支持具の設置状態の説明図である。
【図８】本発明の実施の形態３に係る床板支持具の構成説明図で、（ａ）は正面図、（ｂ）は平面図、（ｃ）は断面図である。
【図９】同束本体の説明図で、（ａ）は断面図、（ｂ）は正面図、（ｃ）は平面図である。
【図１０】同床板支持具の設置状態の説明図である。
【図１１】従来の床板支持具の一例を示す構成説明図である。
【符号の説明】
【００３１】
１Ａ〜１Ｃ…床板支持具、２…床板、３…束本体、３２…操作部、３ａ…座板、４…操作体、５…床支持板、６…螺子体、６ａ…座板、７…操作工具、８…操作部材、８１…上部、８２…螺子部、Ｃ…設置面
【図１】
2005133454.tif 000003
【図２】
2005133454.tif 000004
【図３】
2005133454.tif 000005
【図４】
2005133454.tif 000006
【図５】
2005133454.tif 000007
【図６】
2005133454.tif 000008
【図７】
2005133454.tif 000009
【図８】
2005133454.tif 000010
【図９】
2005133454.tif 000011
【図１０】
2005133454.tif 000012
【図１１】
2005133454.tif 000013